(57)【要約】【課題】特別な技術を必要とせず、高齢者、病弱者等にも比較的容易に、且つ、軟弱地盤であっても安定して設置でき、屋根の高さ及び勾配を変更可能であり、構造が簡単で低廉な仮設構造物を提供すること。【解決手段】屋根材及び壁材を支持する複数の杭支柱１，２を備え、杭支柱１，２は高さ調節可能であり、杭支柱１，２の下部に、足踏み込み用のプレート、又は、ねじ込み用の螺旋刃を設け、杭支柱１，２の埋設部分に、地質改良補強剤Ｇを噴出するノズルを設けてある。【選択図】図１
2011122409.tif 000002
【特許請求の範囲】
【請求項１】
屋根材及び壁材を支持する複数の杭支柱を備え、該杭支柱は高さ調節可能であり、前記杭支柱の下部に、足踏み込み用のプレート、又は、ねじ込み用の螺旋刃を設けると共に、前記杭支柱の埋設部分に、地質改良補強剤を噴出するノズルを設けてあることを特徴とした仮設構造物。
【請求項２】
前記屋根材及び壁材が可撓性を有するシートより成り、該シートの端部を巻取り器に巻き取り・巻き戻し自在に巻きつけてある請求項１に記載の仮設構造物。
【請求項３】
前記屋根材が太陽光発電シートより成る請求項２に記載の仮設構造物。
【請求項４】
足踏み込み用のプレートを設けた杭支柱は、支柱の下端部に杭を嵌合して成り、前記支柱及び杭の嵌合部分を、設定以上の軸力が加わったときに摺動する環状のトルク調整具で締め付けて連結してある請求項１〜３のいずれかに記載の仮設構造物。
【請求項５】
前記ノズルは、噴出口が下方を向いた下向きノズルと、噴出口が水平方向を向いた水平ノズルと、噴出口が上方を向いた上向きノズルとから成る請求項１〜４のいずれかに記載の仮設構造物。
【発明の詳細な説明】
【技術分野】
【０００１】
本発明は、農業用ハウス、防災用住宅等の仮設構造物に関する。
【背景技術】
【０００２】
農業用ハウス、簡易倉庫、防災用住宅等として、簡便な構造の仮設構造物が多く用いられている。
特に、近年では、温暖化の影響により、豪雨や台風の発生頻度が高まり、大型地震の発生も懸念されていることから、地球規模で仮設構造物の必要性が増している。
一般的な仮設構造物は、基礎を打ち、その上に複数の支柱を立設し、支柱の外側を軽量のボード或いはシートで覆って構築する。
しかし、このような仮設構造物は、基礎を打設するにも、支柱を立てるにも技術が必要であり、支柱の高さを一定に揃えるのも難しく、高い場所にボードやシートを張るのは危険で重労働であり、素人、特に、高齢者や病弱者が設置するのは困難であった。
【０００３】
また、特許文献１には、低い位置で屋根を建設してから所望の高さまで移動できるよう、複数個の昇降装置でテントを支持した仮設構造物が記載されている。
しかし、この仮設構造物は、構造が複雑で大規模であるばかりか、昇降装置を昇降させるのに制御装置が必要であり、素人が建築するのは難しいだけでなく、コストも高くついた。
【先行技術文献】
【特許文献】
【０００４】
【特許文献１】特開平６−２２１００１号公報
【発明の概要】
【発明が解決しようとする課題】
【０００５】
本発明が解決しようとする課題は、特別な技術を必要とせず、高齢者、病弱者等にも比較的容易に、且つ、軟弱地盤であっても安定して設置でき、屋根の高さ及び勾配を変更可能であり、構造が簡単で低廉な仮設構造物を提供することにある。
【課題を解決するための手段】
【０００６】
本発明の仮設構造物は、屋根材及び壁材を支持する複数の杭支柱を備え、該杭支柱は高さ調節可能であり、前記杭支柱の下部に、足踏み込み用のプレート、又は、ねじ込み用の螺旋刃を設けると共に、前記杭支柱の埋設部分に、地質改良補強剤を噴出するノズルを設けてある。
前記屋根材及び壁材は可撓性を有するシートとし、該シートの端部を巻取り器に巻き取り・巻き戻し自在に巻きつけても良い。
この時、前記屋根材を太陽光発電シートとすることができる。
【０００７】
足踏み込み用のプレートを設けた杭支柱の場合は、支柱の下端部に杭を嵌合して成り、前記支柱及び杭の嵌合部分を、設定以上の軸力が加わったときに摺動する筒状のトルク調整具で締め付けて連結すると良い。
前記ノズルは、噴出口が下方を向いた下向きノズルと、噴出口が水平方向を向いた水平ノズルと、噴出口が上方を向いた上向きノズルとから構成しても良い。
【発明の効果】
【０００８】
請求項１に係る発明によれば、大型の重機等を必要とせず、足で踏み込むか、或いは手でねじ込むことにより、高齢者や病弱者でも比較的容易に支柱を立設することができ、構造も簡単である。
また、杭支柱を低くして屋根材及び壁材を取り付けてから、杭支柱を伸ばして屋根及び壁を構築することができるので、組み立て作業がいっそう容易となり、積雪時には、屋根材の中央部を支持する杭支柱を高くして屋根勾配をきつくすることにより、雪を屋根から滑落させ、強風時には、杭支柱を低くして風による倒壊を避けることができる。
さらに、地盤が軟弱な場所であっても、地質改良補強材を地中に噴出して地盤を補強できるため、杭支柱を安定して打ち込むことが可能である。
【０００９】
請求項２に係る発明によれば、杭支柱の高さを変更した際に、シートを巻き取ったり巻き戻して屋根材及び壁材の面積の変化に簡単に対応でき、竜巻や台風が発生した時にはシートを巻き取って、飛散や倒壊を防止することが可能となる。
請求項３に係る発明によれば、太陽光発電シートによって発電した電力を供給できるため、光熱費を節減できるばかりか、災害等で停電が発生した時でも電気を使用することができる。また、杭支柱の高さを変えることにより、太陽の位置に応じて受光面の広さ及び傾きを変更することができるので、発電効率が良い。
【００１０】
請求項４に係る発明によれば、地盤が固く杭が進入しにくい場合は、プレートを踏み込む力でトルク調整具が下方へ滑って支柱が下降し、これにより、杭支柱の高さを他の杭支柱と揃えることができる。
請求項５に係る発明によれば、杭支柱を打ち込む際に、或いは、地盤沈下等により杭支柱の高さにばらつきが生じても、ノズルを選択して地質改良補強材を噴出することによって、その反力で杭支柱を上下動させ、杭支柱の高さを補正することができる。
【図面の簡単な説明】
【００１１】
【図１】実施例１を示す仮設構造物の側面図である。
【図２】実施例１に係る折り畳みタイプの杭支柱の断面図である。
【図３】実施例１に係る伸縮タイプの杭支柱の要部破断側面図である。
【図４】回転操作用レバーの他の実施態様を示す側面図である。
【図５】回転操作用レバーのさらに他の実施態様を示す平面図である。
【図６】回転操作用レバーのさらに他の実施態様を示す平面図である。
【図７】実施例２を示す仮設構造物の側面図である。
【図８】実施例２の仮設構造物の平面を模式的に示す図である。
【図９】実施例２に係る伸縮タイプの杭支柱の要部破断側面図である。
【発明を実施するための形態】
【００１２】
以下、本発明の実施例を図面に基づいて詳細に説明する。
図１は、本発明の実施例１に関し、農業用ハウス等の比較的小型で高い強度を必要としない仮設構造物の妻側から見た断面図である。
この仮設構造物は、屋根材及び壁材と、屋根材の中央部及び端部並びに壁材を支持する複数の杭支柱１，２とを備える。
屋根材及び壁材は、パネルやボードでもよいが、本実施例では可撓性のあるシート１８を使用している。
【００１３】
シート１８は、屋根を覆う部分と、妻面と交差する２面の壁を覆う部分とを連続して成り、シート１８の両端部は壁の下部に取り付けられた巻取り器１８ａに、巻き取り・巻き戻し自在に巻きつけてある。
なお、巻取り器１８ａは、シート１８を巻き取る方向に軽く付勢し、シート１８の弛みをなくすようにすると良い。
また、図示しないが、仮設構造物の妻面を含む壁は、別体のシートで被覆してある。
【００１４】
杭支柱１，２は、軽金属、合成樹脂等を素材とする中空パイプより成り、仮設構造物の外周に沿って適宜間隔ごとに、また、仮設構造物の中央部の適宜箇所に立設される。
妻方向両端に立設された杭支柱２は伸縮タイプとし、その間に立設された杭支柱１は折り畳みタイプとして、高さ調節可能となっている。
折り畳みタイプの杭支柱１は、図２に示すように、支柱１２とその下端内部に摺動自在に嵌合した杭１１とから成る。
支柱１２は、下段支柱１２１、中段支柱１２２及び上段支柱１２３に分割され、下段支柱１２１の上端と中段支柱１２２の下端、及び、中段支柱１２２の上端と上段支柱１２３の下端はそれぞれ蝶番１２４によって折り畳み可能に連結されている。
【００１５】
また、蝶番１２４を取り付けた側面と反対の側面において、下段支柱１２１と中段支柱１２２の連結部分、及び、中段支柱１２２と上段支柱１２３の連結部分には、互いに着脱自在に係止するフック１２５と係止具１２６が装着されている。
フック１２５を係止具１２６に係止すると、中段支柱１２２及び上段支柱１２３がそれぞれ下段支柱１２１及び中段支柱１２２に対して倒れないよう引き止められる。フック１２５を係止具１２６から外すと、中段支柱１２２及び上段支柱１２３を折り畳むことができる。
【００１６】
下段支柱１２１と中段支柱１２２の連結部分、及び、中段支柱１２２と上段支柱１２３の連結部分の内部には、それぞれ短尺の連結パイプ１２７が外部からの操作で摺動可能に嵌合されている。
そして、連結パイプ１２７を連結部分に合致させると、中段支柱１２２が下段支柱１２１に対して起立すると共に、上段支柱１２３が中段支柱１２２に対して起立し、連結パイプ１２７を摺動させて連結部分からずらすと、中段支柱１２２及び上段支柱１２３を折り畳むことができる。
【００１７】
上段支柱１２３の上端から内部に中空の中層支柱１３が摺動可能に嵌合され、中層支柱１３の上端から内部に内層支柱１４が摺動可能に嵌合され、中層支柱１３及び内層支柱１４を引き出してボルト等により適宜高さで固定できるようになっている。
上段支柱１２３及び中層支柱１３の上端周縁には、それぞれ鍔１２３ａ，１３ａが張り出してあり、内層支柱１４の上端には円還部材１４ａが取り付けられる。このため、鍔１２３ａ，１３ａどうし及び円還部材１４ａがぶつかって、中層支柱１３及び内層支柱１４を完全に没入できないようになっている。
また、積雪量の多い地方では、内層支柱１４を引き出した後、その側面にパイプ１７を介して振動発生器１６を取り付けることもできる。
なお、鍔１２３ａ，１３ａに、ロープ、補助材、備品等を取り付けるための還状金具を装着しても良い。
【００１８】
杭支柱１の埋設部分である杭１１には、セメントペースト、膠質ケイ酸塩を生ずる薬剤等の地質改良補強剤Ｇを噴出するノズルが設けられ、杭支柱１の内部或いは外部に、ノズルへ地質改良補強剤Ｇを送るチューブ１１１が配管されている。
ノズルは、噴出口が下方を向いた下向きノズル１１１ａと、噴出口が水平方向を向いた水平ノズル１１１ｂと、噴出口が上方を向いた上向きノズル１１１ｃとから成る。
【００１９】
伸縮タイプの杭支柱２は、図３に示すように、杭２１と、杭２１の外面に嵌合された中空の外支柱２２と、外支柱２２の上端から内部に摺動自在に嵌合された中空の中支柱２３と、中支柱２３の上端から内部に摺動自在に嵌合された中空の内支柱２４とから成る。
中支柱２３及び内支柱２４は、適宜高さまで引き出してボルト２３ｂ，２４ｂ等により固定できるようになっている。なお、ボルト２３ｂ，２４ｂの頭部には、ロープ、補助材、備品等を取り付けるための還状金具を設けると良い。
【００２０】
また、外支柱２２及び中支柱２３の上端周縁にはそれぞれ鍔２２ａ，２３ａがはりだし、内支柱２４の上端には円還部材２４ａが装着されている。従って、中支柱２３及び内支柱２４を下限位置まで押し込むと、鍔２２ａ，２３ａどうし及び円還部材２４ａがぶつかって、それ以上没入するのを防ぐ。なお、鍔２２ａ，２３ａには、備品取付用の金具を装着することができる。
杭２１と外支柱２２とはボルト２２ｃで固定される。杭２１には、杭１１と同様に、地質改良補強剤Ｇを噴出する下向きノズル２１１ａ、水平ノズル２１１ｂ、及び、上向きノズル２１１ｃが形成されている。
なお、下向きノズル２１１ａ、水平ノズル２１１ｂ、及び、上向きノズル２１１ｃは、杭２１の下部と中間部にそれぞれ設けても良い。
【００２１】
杭支柱１，２の下部には、足踏み込み用のプレート、又は、ねじ込み用の螺旋刃を設けてある。
便宜上、足踏み込み用のプレート１１３を取り付けた折り畳みタイプの杭支柱１を図２に示し、螺旋刃２１２を取り付けた伸縮タイプの杭支柱２を図３に示すが、逆であっても良い。
図２に示すように、杭支柱１の下段支柱１２１の外面にはリング１１３ａが固定され、このリング１１３ａの外面にプレート１１３が回動可能に取り付けられている。
プレート１１３は垂直状態（下段支柱１２１と平行な状態）から基部を中心に上方或いは下方へ回動させて水平に開き、水平に張り出した状態で固定できるようになっている。そして、プレート１１３に足を掛けて踏み込むことにより、杭１１を打ち込むことができる。
【００２２】
また、下段支柱１２１と杭１１との嵌合部分の外周を、筒状のトルク調整具１１２で締め付けてある。
トルク調整具１１２は、下端に向かって次第に小径となり、その内面に鋸歯状の凹凸が形成され、この凹凸が、下段支柱１２１の外面下端部に形成された凹凸と係合している。また、トルク調整具１１２の内面下端部は杭１１の外面に食い込んでいる。
従って、プレート１１３を踏みつけて柔らかい地盤に杭１１を打ち込む際には、下段支柱１２１と杭１１とが共に地中に進入するが、杭１１の先端が堅い地盤に突き当って進まなくなり、プレート１１３を踏んで下段支柱１２１に加わる軸力が設定値以上になると、トルク調整具１１２が杭１１に沿って滑り落ち、下段支柱１２１のみが下降する。
【００２３】
図３に示すように、杭支柱２の杭２１の外面下端部及び外面中間部には、それぞれ螺旋刃２１２が取り付けてある。
杭支柱２の埋設部分の上方において、外支柱２２の外面には回転操作用のレバー２２３を固定してある。レバー２２３は、外支柱２２の外面に固定した円還の外面から両側に張り出している。
そして、杭２１と外支柱２２とを固定した後、レバー２２３を両手で握って回転させることにより、杭２１を地中にねじ込む。
【００２４】
また、レバー２２３に代えて、図４に示すように、外支柱２２を貫通して両側に張り出すレバー２２２を用いてもよい。レバー２２２の中央よりも一端側には径大部２２２ｂが形成され、レバー２２２を他端から外支柱２２に差し込み、外支柱２２を挟んで径大部２２２ｂの反対側にピン２２２ｃを打ち込むことにより、レバー２２２を外支柱２２に固定する。
なお、このレバー２２２を用いる場合は、地質改良補強剤を供給するチューブを、杭支柱２の内部ではなく、外部に配管する。
また、レバー２２２を用いて杭２１を打ち込み、レバー２２２を外してから、外支柱２２の内部に中支柱２３を嵌合する。
【００２５】
図５に示すレバー２２４は、一端側に形成した一対の握り部２２４ａを開閉することにより、他端側に設けた一対の締め付け部２２４ｂが軸２２４ｅを中心として開閉し、締め付け部２２４ｂが閉じた時に外支柱２２を締め付けるようになっている。締め付け部２２４ｂに止めリング２２４ｃを被せると、閉じた締め付け部２２４ｂは開かなくなる。
また、締め付け部２２４ｂにはそれぞれ外支柱２２の周面を通して内部に挿入される突起２２４ｄが形成され、握り部２２４ａ及び締め付け部２２４ｂを両手で握って回転させたときにレバー２２４が空回りしない。
【００２６】
図６に示すレバー２２５は、互いに平行で外支柱２２の両側に張り出す握り部２２５ａと、握り部２２５ａと直交してこれを連結する連結部２２５ｂとを一体に形成して成る本体部、及び、連結部２２５ｂと平行な摺動部材２２５ｃと備える。
一方の握り部２２５ａは、連結部２２５ｂと摺動部材２２５ｃとが外支柱２２を挟んで対向するよう、摺動部材２２５ｃに挿通される。
一方の握り部２２５ａには雄ネジ部２２５ｄが形成され、摺動部材２２５ｃの外側において、雄ネジ部２２５ｄにナット２２５ｅが螺合されている。
【００２７】
また、連結部２２５ｂ及び摺動部材２２５ｃの外支柱２２と接する面には滑り止め突起が形成され、摺動部材２２５ｃの端部には、外支柱２２の周面を通して内部に挿入される爪２２５ｆが形成されている。
従って、ナット２２５ｅを締めこんだり緩めたりすることにより、レバー２２５を外支柱２２に着脱でき、握り部２２５ａを両手で握って回転させる際に、爪２２５ｆが外支柱２２に係合しているので、空回りしない。
なお、これらのレバー２２２，２２３，２２４，２２５を杭支柱１の下段支柱１２１に取り付け、足踏み込み用プレートとして利用することもできる。
【００２８】
この仮設構造物を建てるには、まず、図１の実線で示すように、杭支柱１を折り畳んだ状態で立設すると共に、杭支柱２の杭２１及び外支柱２２を固定してからねじ込む。
杭２１及び外支柱２２をねじ込んでから、外支柱２２の内部に中支柱２３を嵌合し、さらに、中支柱２３の内部に内支柱２４を嵌合する。
地盤の強度が不十分な場合は、杭１１，２１のノズル（特に、水平ノズル１１１ｂ，２１１ｂ）から地質改良補強材Ｇを噴出して地盤を補強する。なお、杭支柱１及び杭支柱２の杭２１を埋設する際には、ノズル１１１ａ，１１１ｂ，１１１ｃ，２１１ａ，２１１ｂ，２１１ｃは塞いでおくのが望ましい。
【００２９】
また、杭支柱１の中層支柱１３及び内層支柱１４を、屋根勾配に応じて必要な長さだけ引き出して固定し、その後、杭支柱１，２の上にシート１８を被せる。
次いで、図１の破線で示すように、杭支柱２の中支柱２３及び内支柱２４を引き出して固定すると共に、杭支柱1の中段支柱１２２及び上段支柱１２３を伸ばして固定し、シート１８を被せた状態で屋根を押し上げる。
シート１８は、円還部材１４ａ，２４ａの上にスライド自在に被せてあるので、杭支柱１，２を高くしても簡単に追随する。
【００３０】
仮設構造物の屋根上に積雪した時は、シート１８の中央部を支持する杭支柱１を高くして屋根勾配を急にし、振動発生器１６を作動させて雪を滑落させる。
また、強風時には、杭支柱１，２を低くして仮設構造物の高さを低くし、風による倒壊を防ぐ。
地震等により、杭支柱１，２が不同沈下した場合、或いは、杭打ち時に杭支柱１，２の高さが不ぞろいな場合は、所定高さより低い杭支柱１，２の下向きノズル１１１ａ，２１１ａから地質改良補強剤Ｇを噴出し、地盤から受ける上向きの反力により杭支柱１，２を上昇させて高さを補正する。
一方、所定高さより高い杭支柱１，２の上向きノズル１１１ｃ，２１１ｃから地質改良補強剤Ｇを噴出し、地盤から受ける下向きの反力により杭支柱１，２を下降させて高さを補正する。
【００３１】
なお、屋根材及び壁材として、太陽光発電シートを用いることもできる。
また、シート１８を中央部から分離し、左右の巻取り器１８ａによって完全に巻き取ることもできる。
さらに、必要に応じて、円還部材１４ａ，２４ａに横架材を挿通する、折り畳み部分の下方において杭支柱１間に横架材を架設する、杭支柱２間に横架材を架設する等により補強すると良い。
また、杭支柱１，２の上端間に屋根勾配に沿ってロープを張り、シート１８を受けることもできる。
【００３２】
図７は、仮設構造物が比較的強度の高い仮設住宅等である実施例２を示す。この仮設構造物には、全て伸縮タイプの杭支柱２を用いている。
また、屋根材となるシート１８ｂと壁材となるシート１８ｃとを別体とし、シート１８ｂの下端部を杭支柱２の上部に装着した巻取り器１８ｄに巻き取り・巻き戻し自在に巻きつけてあり、シート１８ｃの下端部を杭支柱２の下部に装着した巻取り器１８ｅに巻き取り・巻き戻し自在に巻きつけてある。シート１８ｂには太陽光発電シートを用いることができる。
【００３３】
杭支柱２の構造は、実施例１で用いたものと同様であるが、強度を高めるため、図８及び図９に示すように、中支柱２３及び内支柱２４を適宜高さまで引き出して固定した後、隣接する杭支柱２間に横架材２５を架設すると共に、垂直面に含まれるブレース２６及び水平面に含まれるブレース２７を架設する。
杭支柱２の中支柱２３及び内支柱２４を引き出すには、伸縮ジャッキを用いたり、円還部材２４ａや鍔２３ａ等に設けた環状金具にロープを掛けて吊り上げる。
【００３４】
横架材２５を架設するには、図９に示すように、外支柱２２の鍔２２ａ及び中支柱２３の鍔２３ａの上方において、中支柱２３及び内支柱２４にそれぞれ梁受け材２８を固定し、この梁受け材２８と横架材２５の端部とを接続プレート２９を介して連結する。
また、図７に示すように、地面よりもやや上方において、外支柱２２間に横架材２５を架設する。そして、通常は、この外支柱２２間をつなぐ最も低い横架材２５の上に床板をはる。
【００３５】
豪雨等により水位が上がった時は、中支柱２３間に架設した横架材２５、或いは、内支柱２４間に架設した横架材２５の上に床板を移し、床を高くする。
なお、図８では、仮設構造物の内部にも等間隔で杭支柱２を立設してあるが、杭支柱２のスパンが狭い場合は、居住の邪魔にならないよう、架設構造物内の適宜箇所のみに立設すればよいのは言うまでもない。
その他の構造及び使用方法は、実施例とほぼ同様なので詳細な説明を省略する。
【符号の説明】
【００３６】
１  折り畳みタイプの杭支柱
１１  杭
１１１  チューブ
１１１ａ  下向きノズル
１１１ｂ  水平ノズル
１１１ｃ  上向きノズル
１１２  トルク調整具
１１３  プレート
１１３ａ  リング
１２  支柱
１２１  下段支柱
１２２  中段支柱
１２３  上段支柱
１２３ａ  鍔
１２４  蝶番
１２５  フック
１２６  係止具
１２７  連結パイプ
１３  中層支柱
１３ａ  鍔
１４  内層支柱
１４ａ  円還部材
１６  振動発生器
１７  パイプ
１８，１８ｂ，１８ｃ  シート
１８ａ，１８ｄ，１８ｅ  巻取り器
２  伸縮タイプの杭支柱
２１  杭
２１１ａ  下向きノズル
２１１ｂ  水平ノズル
２１１ｃ  上向きノズル
２１２  螺旋刃
２２  外支柱
２２ａ  鍔
２２ｃ  ボルト
２２２，２２３，２２４，２２５  レバー
２２２ｂ  径大部
２２２ｃ  ピン
２２４ａ  握り部
２２４ｂ  締め付け部
２２４ｃ  止めリング
２２４ｄ  突起
２２４ｅ  軸
２２５ａ  握り部
２２５ｂ  連結部
２２５ｃ  摺動部材
２２５ｄ  雄ネジ部
２２５ｅ  ナット
２２５ｆ  爪
２３  中支柱
２３ａ  鍔
２３ｂ  ボルト
２４  内支柱
２４ａ  円還部材
２４ｂ  ボルト
２５  横架材
２６，２７  ブレース
２８  梁受け材
２９  接続プレート
Ｇ    地質改良補強材
【図１】
2011122409.tif 000003
【図２】
2011122409.tif 000004
【図３】
2011122409.tif 000005
【図４】
2011122409.tif 000006
【図５】
2011122409.tif 000007
【図６】
2011122409.tif 000008
【図７】
2011122409.tif 000009
【図８】
2011122409.tif 000010
【図９】
2011122409.tif 000011